(57)【要約】【課題】本発明は、面実装時の周波数変動を抑制できる弾性表面波デバイスを提供することを目的とするものである。【解決手段】本発明の弾性表面波デバイスは、圧電基板１１と、この圧電基板１１上に設けられた櫛型電極１２およびパッド電極１３と、圧電基板１１上において櫛型電極１２の励振領域を囲むように設けられた樹脂壁１４と、樹脂壁１４の開口部を覆い励振領域を密封する天板１５と、天板１５上に設けられパッド電極１３と接続される外部電極１６と、天板１５および樹脂壁１４中に設けられパッド電極１３と外部電極１６を接続するビア電極１７とを備え、ビア電極１７を圧電基板１１側に位置する第１のビア電極１７ａと天板１５側に位置する第２のビア電極１７ｂに分割し、第１のビア電極１７ａの径を第２のビア電極１７ｂの径より小さくした。【選択図】図１
2008124785.tif 000002
【特許請求の範囲】
【請求項１】
圧電基板と、この圧電基板上に設けられた櫛型電極およびパッド電極と、前記圧電基板上において前記櫛型電極の励振領域を囲むように設けられた樹脂壁と、前記樹脂壁の開口部を覆い前記励振領域を密封する天板と、前記天板上に設けられ前記パッド電極と接続される外部電極と、前記天板および前記樹脂壁中に設けられ前記パッド電極と前記外部電極を接続するビア電極とを備え、前記ビア電極を前記圧電基板側に位置する第１のビア電極と前記天板側に位置する第２のビア電極に分割し、前記第１のビア電極の径を前記第２のビア電極の径より小さくしたことを特徴とする弾性表面波デバイス。
【請求項２】
第１のビア電極を樹脂壁部分に設け、第２のビア電極を天板部分に設けたことを特徴とする請求項１記載の弾性表面波デバイス。
【請求項３】
励振領域部分に対応する天板部分にグランド接続される金属領域を設けたことを特徴とする請求項１記載の弾性表面波デバイス。
【発明の詳細な説明】
【技術分野】
【０００１】
本発明は、主として移動体通信機器にて使用される表面実装型の弾性表面波デバイスに関するものである。
【背景技術】
【０００２】
従来のこの種の弾性表面波デバイスとしては、図４に示すように、櫛型電極１の励振領域を形成するために、金属からなる側壁２および天板３で櫛型電極１の励振領域を覆っていた。
【０００３】
なお、この出願の発明に関する先行技術文献情報としては、例えば、特許文献１が知られている。
【特許文献１】特開２００４−３６４０４１号公報
【発明の開示】
【発明が解決しようとする課題】
【０００４】
上記した従来の弾性表面波デバイスは、側壁２が硬い金属で形成されていたため、実装することでこの弾性表面波デバイスの実装面に応力が加わると、側壁２を経由してその応力が圧電基板４に直接伝達されてしまい、これにより、圧電基板４に歪を発生させるため、弾性表面波デバイスの周波数変動を引き起こすという課題を有していた。
【０００５】
本発明は、上記従来の課題を解決するもので、弾性表面波デバイスにおける面実装時の周波数変動を抑制することを目的とするものである。
【課題を解決するための手段】
【０００６】
上記目的を達成するために本発明は、圧電基板と、この圧電基板上に設けられた櫛型電極およびパッド電極と、圧電基板上において櫛型電極の励振領域を囲むように設けられた樹脂壁と、樹脂壁の開口部を覆い励振領域を密封する天板と、天板上に設けられパッド電極と接続される外部電極と、天板および樹脂壁中に設けられパッド電極と外部電極を接続するビア電極とを備え、ビア電極を圧電基板側に位置する第１のビア電極と天板側に位置する第２のビア電極に分割し、第１のビア電極の径を第２のビア電極の径より小さくする構成としたものである。
【発明の効果】
【０００７】
本発明の弾性表面波デバイスによれば、面実装時の周波数変動を抑制できるという効果が得られるものである。
【発明を実施するための最良の形態】
【０００８】
図１は本発明の一実施の形態における弾性表面波デバイスの断面図であり、圧電基板１１と、この圧電基板１１上に設けられた櫛型電極１２およびパッド電極１３と、圧電基板１１上において櫛型電極１２の励振領域を囲むように設けられた樹脂壁１４と、樹脂壁１４の開口部を覆い励振領域を密封する天板１５と、天板１５上に設けられパッド電極１３と接続される外部電極１６と、天板１５および樹脂壁１４中に設けられパッド電極１３と外部電極１６を接続するビア電極１７とを備え、ビア電極１７を圧電基板１１側に位置する第１のビア電極１７ａと天板１５側に位置する第２のビア電極１７ｂに分割し、第１のビア電極１７ａの径を第２のビア電極１７ｂの径より小さくしている。
【０００９】
圧電基板１１は、３９°ＹカットＸ伝播ＬｉＴａＯ3で構成され、その表面には弾性表面波を励振及び受信するための櫛型電極１２と、この櫛型電極１２の信号を取り出すパッド電極１３が形成されている。また、圧電基板１１上には櫛型電極１２の外周部分を囲むように感光性エポキシ樹脂からなる厚み２５μｍの樹脂壁１４が設けられている。また、樹脂壁１４中には銅からなる第１のビア電極１７ａがパッド電極１３と接続されるように形成されている。
【００１０】
天板１５は、樹脂壁１４の開口部を覆い櫛型電極１２の励振領域を密封するものであり、特に励振領域と対峙する部分にはグランドに接続される銅製の金属領域１８が設けられ、この金属領域１８におけるビア電極１７部分には、金属領域１８とビア電極１７を分離するための樹脂層１９が設けられている。
【００１１】
以下、本発明の一実施の形態における弾性表面波デバイスの製造方法について説明する。
【００１２】
まず、図２（ａ）に示すように、圧電基板１１上に櫛型電極１２およびパッド電極１３を、フォトリソグラフィー技術により形成し、その後、圧電基板１１上において櫛型電極１２の外周部分を囲むように厚さ２５μｍの感光性エポキシシートをラミネートし、露光、現像して樹脂壁１４を形成する。このとき、第１のビア電極１７ａに対応する部分に第１の貫通孔２０を形成しておく。
【００１３】
次に、図２（ｂ）に示すように、樹脂壁１４の開口部を覆い櫛型電極１２の励振領域を密封するように、銅箔２１を樹脂壁１４の上端及び開口部の全体にラミネートする。
【００１４】
次に、図２（ｃ）に示すように、銅箔２１をエッチングし、弾性表面波デバイスの少なくとも信号経路に位置するビア電極１７を形成する貫通孔２０部分を金属領域１８から分離する。
【００１５】
次に、図３（ａ）に示すように、銅箔２１を形成した面上に感光性樹脂を塗布し、露光、現像した後、１６０℃、６０分で加熱硬化することにより樹脂層１９を形成する。このとき、第２のビア電極１７ｂに対応する第２の貫通孔２２も同時に形成する。
【００１６】
次に、銅箔２１の露出部分に対して図３（ｂ）に示すように銅めっき２１ａを施すことによって、金属領域１８の厚みを厚くするとともに、貫通孔２０，２２を銅で充填し第１、第２のビア電極１７ａ，１７ｂを形成する。
【００１７】
最後に、図３（ｃ）に示すように、天板１５の上面部分を研磨して平坦化してから第２のビア電極１７ｂに接続する外部電極１６を形成する。
【００１８】
上記したように、樹脂壁１４を軟質な樹脂で形成しているため、従来のように金属を用いた側壁２に比べて実装面から圧電基板１１に加わる応力を緩和できる。
【００１９】
また、第１、第２のビア電極１７ａ，１７ｂが金属で構成されているため、実装面となる天板１５から応力が加わることにより、第１、第２のビア電極１７ａ，１７ｂを介して応力が伝わるが、圧電基板１１側で第１のビア電極１７ａを第２のビア電極１７ｂの径より小さくしたことにより、圧電基板１１と第１のビア電極１７ａとの当接面積が小さくなり、これにより、第１のビア電極１７ａが圧電基板１１に与える応力を緩和できるため、圧電基板１１における歪み量が減り、面実装時の周波数変動を抑制できる。
【００２０】
また、上記製造工程において、径の小さい第１のビア電極１７ａを樹脂壁１４部分に設け、径の大きい第２のビア電極１７ｂを天板１５部分に設けることによって、それぞれの径の大きさが貫通孔２０，２２の大きさとして自在に決められるため容易にビア電極１７ａ，１７ｂの径を調節することができるのである。
【００２１】
なお、ビア電極１７ａ，１７ｂは元来、電気信号の経路として機能するだけでなく、櫛型電極１２の励振による発熱を外部に逃がす役割も果たしているが、圧電基板１１側に配置される第１のビア電極１７ａの径を小さくしたことによって、熱伝達量が低下する。これに対し、本発明では、励振領域に対応する天板１５部分にグランドに接続される金属領域１８を設けているので、励振領域で発生した輻射熱が金属領域１８を介してグランドに放出されるようになり、これにより、弾性表面波デバイスの放熱性が高くなるため、弾性表面波デバイスの耐電力性が向上できるのである。
【産業上の利用可能性】
【００２２】
本発明に係る弾性表面波デバイスは、面実装時の周波数変動を抑制できるという効果を有するものであり、主として移動体通信機器に用いられる面実装型の弾性表面波フィルタや弾性表面波デュプレクサなどの弾性表面波デバイス等において有用となるものである。
【図面の簡単な説明】
【００２３】
【図１】本発明の一実施の形態における弾性表面波デバイスの断面図
【図２】同弾性表面波デバイスの製造工程を示す断面図
【図３】同弾性表面波デバイスの製造工程を示す断面図
【図４】従来の弾性表面波デバイスの断面図
【符号の説明】
【００２４】
１１  圧電基板
１２  櫛型電極
１３  パッド電極
１４  樹脂壁
１５  天板
１６  外部電極
１７  ビア電極
１７ａ  第１のビア電極
１７ｂ  第２のビア電極
【図１】
2008124785.tif 000003
【図２】
2008124785.tif 000004
【図３】
2008124785.tif 000005
【図４】
2008124785.tif 000006